(57)【要約】【課題】 紛失した携帯電話機を他電話機から発呼禁止モードとし、かつ登録されたプライベート情報を表示しないようにする。【解決手段】 設定時間内に同一電話機から設定時間内に設定回数の着信があったとき（ステップ１１３でＹｅｓ）、メモリダイヤル等の情報表示機能を停止し（ステップ１１８）、発呼禁止とする（ステップ１２０又は１２１）。着信回数のカウントは、着信方式が「連続」に設定されているときは１つでも途中で他機からの着信があると、カウント数を１にリセットし、「通常」に設定されているときはカウント中の他機からの着信は無視する。【選択図】  図１
2010110000.tif 000002
【特許請求の範囲】
【請求項１】
発呼禁止モードを有する携帯電話機の制御方法であって、
紛失して誰も拾って所持しておらずオフフックされない状態で他電話機からの着信により発呼禁止モードに移行する携帯電話機の制御方法であり、
予め発呼禁止モードへ移行するための設定である着信時間及び該着信時間内の着信回数が設定されており、
他電話機から着信があってもオフフックされないが当該着信の発呼種別、発呼側電話番号を判定し、
当該他電話機から前記設定された着信時間の内に着信した着信回数が前記設定された着信回数の値になったときに自機を発呼禁止モードに移行することを特徴とする携帯電話機の制御方法。
【発明の詳細な説明】
【技術分野】
【０００１】
本発明は、携帯電話機に係わり、とくに置忘れ時の対策を備えた携帯電話機に関する。
【背景技術】
【０００２】
携帯電話機をどこかに置忘れると、金品等の置忘れと同様に容易には探し出せず、また拾った人も所有者がわからず返すのが難しい。場合によっては拾った人がそのまま携帯電話機を使用することもあり、多大な料金を支払うことにもなる。これはとくに携帯電話機が盗難に会ったときに起こり易い。このような問題への対策をもつ携帯電話機として予め設定した暗証番号を入力したのちでなければ発呼できないようにしたものがある。しかしこれでは発呼の度に暗証番号入力を必要とし、操作がわずらわしい。
【０００３】
また、特開平９−３１２６８７号に「防犯機能付き携帯電話機」が開示されている。この携帯電話機を紛失したときは、その所有者が他の電話機から紛失した携帯電話機へ発呼する。この発呼を着信した紛失携帯電話機では、誰かに拾われてもその人がオフフックして応答すれば通常の接続が行われて通話状態になるが、応答がなければ発呼の停止とともに着信動作も停止される。このような着信回数をカウントする回路を備えておき、そのカウント数が所定値を越えると携帯電話機を回線に接続し、接続したことを確認音により発呼側の所有者に伝える。所有者はこの確認音を受けると次に予め設定された暗証番号を入力して携帯電話機へ送信する。携帯電話機側ではこれを受信して、設定された暗証番号との一致を確認すると当該携帯電話機の動作モードを切替え、再びモード切替えを行ったことを確認音により、発呼側に伝える。これを確認した所有者は自分の使っている電話機をオンフックして操作を終える。ここで、この操作により切替えられる動作モードは通常の通話を行う通話モードと、発呼を不可とする受信専用の防犯モードであり、上記操作が行われる度にモードが入れ替わる。このようにしてユーザは携帯電話機の紛失、盗難などに気付いたときに、近くの電話機から上述した操作を行ってその携帯電話機を防犯モードとすることができ、不正使用による通話料金の登算を防ぐことができる。
【先行技術文献】
【特許文献】
【０００４】
【特許文献１】特開平９−３１２６８７号公報
【発明の概要】
【発明が解決しようとする課題】
【０００５】
上記した特開平９−３１２６８７号の技術では、動作モード切替えを行うごとに暗証番号の入力を必要とする。このためにはユーザは暗証番号を記憶しているかそれを記録したメモ等をもっていないと操作できない。ところが、紛失／盗難等に気付いたときは、なるべく早くモード切替操作をして不正使用を防止するのが好ましいが、その気付いたときに暗証番号を記憶していなくてメモも所持していないと、メモのおいてある自宅や会社へ行ってからでないと操作できない。また、モード切替のためには複数回の発呼により当該携帯電話機を回線接続するので、接続後の操作時間は通話料金がかかり、これは防犯モードを解除するときにも同じであって、端末のみの操作ではできない問題もある。さらに拾った人に持主の連絡先等を知らせる機能は考慮されていなかった。
【０００６】
本発明の目的は、置き忘れモードへの移行操作が容易でかつそのために何回も回線接続を行わなくてもその操作が可能な携帯電話機を提供することにあり、また置き忘れモード移行時にプライベート情報が漏れないようにした携帯電話機を提供することにある。
【課題を解決するための手段】
【０００７】
上記の目的を達成するために、本発明は、着信があったときに着信履歴から前回着信時と同じ相手端末からの着信かどうかを判定する相手端末判定手段と、着信時間及び着信回数の第１の設定手段と、「通常着信」あるいは「連続着信」のいずれか一方の着信方式を設定する第２の設定手段と、この手段により「通常着信」が設定されているときは前記相手端末判定手段により同一の相手端末と判定された着信が前記設定された着信時間の内に何回あったかをカウントし、前記第２の設定手段により「連続着信」が設定されているときは前記相手端末判定手段により同一の相手端末と判定された着信のみが前記設定された着信時間の内に連続して何回あったかをカウントするカウント手段と、このカウント手段のカウント値が前記設定された着信回数の値になったときに自機を発呼禁止モードとするモード切替手段と、を備えたことを特徴とする携帯電話機を提供する。
【０００８】
また、本発明は、前記モード切替手段により発呼禁止モードとされた状態では、予め設定された電話番号への発呼のみを可能とする発呼制御手段を設けたことを特徴とする携帯電話機を提供する。
【０００９】
また、本発明は、前記モード切替手段により発呼禁止モードとされたときに、自機内に登録されたメモリダイヤル情報、ツータッチダイヤル情報、あるいは時局電話番号の少なくとも１つを表示しないようにする表示制御手段を設けたことを特徴とする携帯電話機を提供する。
【発明の効果】
【００１０】
本発明によれば、特に暗証番号を用いなくても紛失した携帯電話機を通話料金なしで発呼禁止の置忘れモードとすることができ、不当な料金を加算されるのを防止できる。また置忘れモードとするための操作も容易となり、登録されたプライベート情報が他人に洩れるのを防ぐことができる効果がある。
【図面の簡単な説明】
【００１１】
【図１】本発明の特徴とするモード切替処理のフローチャートである。
【図２】本発明の携帯電話機の概略構成を示すブロック図である。
【図３】置忘れモード設定機能２２の説明図である。
【図４】置忘れメッセージの表示例である。
【発明を実施するための形態】
【００１２】
以下、本発明の実施の形態を図面を用いて説明する。
【実施例１】
【００１３】
図２は、本発明になる携帯電話機の概略構成を示すブロック図で、無線信号の送受を行う無線部１と、通話に伴う信号処理及び表示や鳴音等の制御を行う制御部２と、利用者が文字データを入力する操作部３と、制御部２における処理プログラムや電話帳データを記憶する記憶部４と、入力された文字データを表示する表示部５と、音声を電気信号に変換するマイク６と、電気信号を音声に変換するスピーカ７とから構成されている。
【００１４】
制御部２は、モード切替処理機能２１と、置忘れモード設定機能２２、及び着信カウンタ２３をもち、記憶部４は置忘れモード時に表示するメッセージ登録エリア４１と設定データエリア４２をもっている。ここで着信カウンタ２３は、本携帯電話機の電源オン時にクリアされるものとする。
【００１５】
置忘れモード設定機能２２は、他の機能と同様な操作部３からの操作により起動され、置忘れモードとなったときに表示部に表示する置忘れメッセージの入力や置忘れモードとするための着信方式の設定や着信回数及び着信時間の設定、及び置忘れモードとなったときに発呼を禁止する方法を設定するのに利用される。図３はこの設定機能２２の実行時の画面例を示しており、置忘れモード設定機能２２を起動するとまず図３（ａ）のような画面で置忘れメッセージの入力を行う。ここで置忘れメッセージとしては例えば、１行全角６文字で３行分が利用可能とすると（この表示量も設定可能としてもよい）、１〜２行目に「下記まで連絡下さい」、３行目に連絡先（自宅等）の電話番号を入力し、これをその登録部４１へ登録しておく。このような入力は電話帳等の入力と同様な機能で容易に実現できる。なお前記のメッセージ例で、「下記までご連絡下さい」は固定として予め処理系に用意しておき、電話番号のみをユーザが入力するようにしてもよい。
【００１６】
置き忘れメッセージの入力が終わると、次に図３（ｂ）の画面が表示され、置き忘れモードへ移行するときの着信のカウント方法を着信方式として設定する。ここで「通常」の方を選べば、同一の電話番号（番号通知のとき）又は同一機種（公衆、アナログ電話等）からの着信を、間に他電話や他機種からの着信があっても無視してカウントし、「連続」を選ぶと、間に他番号や他機種からの着信があるとカウントを１からやり直す着信方式となる。
【００１７】
次に着信時間等の設定を行う。これは、後にモード切替処理２１の説明でくわしく述べるが、ある設定時間（着信時間という）内に先に述べた着信方式で何回（着信回数という）の着信があるとモード切替を実行するかの設定である。図３（ｃ）はその設定画面例で着信時間を５分、着信回数を５回に設定している。さらにこれが終わると図３（ｄ）のような画面で、発呼禁止（ロック状態）の方法として「発信制限」又は「キーロック」のいずれかを選ぶ。以上の各設定結果は設定データエリア４２に保存される。勿論これらはメモリダイヤル等と同様に設定変更が可能である。
【００１８】
以上のような置忘れモード設定機能２２による設定が行われた携帯電話機を紛失したときには、その所持者であるユーザは設定された着信時間内に設定された着信回数の発呼を他の電話機から当該携帯電話機に対して行う。図１は、このとき実行される携帯電話機の置忘れモード切替機能２１の処理を示すフローチャートである。この処理は周期的に起動される受信処理の一部であって、着信があると（ステップ１０１でＹｅｓ）、着信音を出力し、着信履歴を書き込む（ステップ１０２）。ここで携帯電話機には一般に着信履歴をとる機能が設けられていて、着信日や時刻、発呼種別（番号通知か、番号非通知か、公衆電話からか、アナログダイヤル電話機からかの区別）、番号通知のときの発信電話番号等が着信動作ごとに記録され、最新の２０件分程度がつねに記録に残るようになっている。ここでオフフックがあると通常の受信動作へ移行するが（ステップ１０３でＹｅｓ）、紛失して誰も所持していない状態であればオフフックされない。そこで着信音の鳴音に対して、オフフックがないと（ステップ１０３でＮｏ）、着信カウンタの値ｊが０かをみる（ステップ１０４）。この値は置忘れモードになった直後、あるいは電源がＯＮされた直後には０であり、その後着信が１回でもあればｊ≧１となっている。そしてｊ＝０のときは着信カウンタの値ｊを１とし（ステップ１０５）、処理を終わる。
【００１９】
着信カウンタの値ｊが０でないときは（ステップ１０４でＮｏ）、システム時計から現時刻ｔｂを取得し（ステップ１０６）、さらに着信履歴を参照してｊ回前の着信時刻ｔａを取得する（ステップ１０７）。そしてｔｂーｔａの値が置忘れモード設定機能２２によりエリア４２に設定された着信時間Ｔよりも小さいかをしらべ（ステップ１０８）、小さくなければステップ１０５で着信カウンタの値ｊを１にして処理を終了するが、ｔｂーｔａが着信時間Ｔよりも小さいときは（ステップ１０８でＹｅｓ）、着信履歴を参照して今回着信の発呼種別が前回着信時と同じかを調べる（ステップ１０９）。ここで前回着信と同じ発呼種別であれば（ステップ１０９でＹｅｓ）、その発呼種別が番号通知かを調べる（ステップ１１０）。これが番号通知のときは再び着信履歴を参照して今回と前回の発呼側電話番号が同じかをチェックする（ステップ１１１）。着信が番号通知でないか（ステップ１１０でＮｏ）、番号通知であって前回と同じ電話番号からのもののときは（ステップ１１１でＹｅｓ）、着信カウンタの値ｊを＋１し（ステップ１１２）、更新後の値ｊが置忘れモード設定機能２２により設定された着信回数ｊｍａｘに達したかを調べ（ステップ１１３）、着信カウンタの値ｊが着信回数ｊｍａｘ以下のときは処理を終わる。
【００２０】
発呼種別が前回と異なっているとき（ステップ１０９でＮｏ）、あるいは番号通知で電話番号が同じでないときは（ステップ１１１でＮｏ）、エリア４２に設定された着信方式を調べ（ステップ１１４）、“連続”が設定されているときはカウンタ値ｊを１にリセットし（ステップ１０５）、再カウントを始める。また着信方式が“通常”に設定されているときは、今回の着信は無視し、カウント値ｊを変更せずに次の着信を待つ。
【００２１】
着信カウンタの値ｊが着信回数ｊｍａｘになったときは（ステップ１１３でＹｅｓ）、同一の発呼種別の電話機から、またとくに番号通知のときは同一電話番号の電話機から着信時間Ｔ以内に着信回数ｊｍａｘに等しい回数の着信があったことを示す。これは携帯電話機を紛失していないが家へ置忘れたときなどに、たまたま着信時間Ｔ以内に着信回数ｊｍａｘ回の着信があると間違って置忘れモードへ移行するのをなるべく防ぐために、発呼種別及び番号通知のときの電話番号チェックを行ったことを意味する。そしてこのときは所持者からの指示があったものとして置忘れモードへ移行する。即ちまず着信カウンタの値ｊを０にリセットしておき（ステップ１１５）、着信音を最大レベルで例えば２０秒間鳴音させる（ステップ１１６）。これにより、置忘れられた携帯電話機があることを周囲に人がいると知らせることができる。次に、置忘れモード設定機能２２で設定しておいた置忘れメッセージを図４のように表示部５へ表示し（ステップ１１７）、次に置き忘れモード移行に伴う各種機能の停止処理を行う（ステップ１１８）。これは前述したように、プライベート情報が表示されないように、あるいはそのような情報を消去してそれが他人に知られないようにするためである。このために、この処理では、メモリダイヤル表示、ツータッチダイヤル発信、及び自局電話番号表示の各々を禁止する。具体的には、置き忘れモードに入ったときに、モードフラグを“禁止”を表す値としておき、上記各機能呼び出し時にモードフラグを参照してこれが、“禁止”のときはその機能をスキップするようにしておけばよい。この停止処理が終わると、やはり置忘れモード設定機能２２で設定した発呼禁止の方法を調べ（ステップ１１９）、それに従って発信制限またはキーロックをＯＮとし（ステップ１２０または１２１）、処理を終わる。
【００２２】
但しこの発信制限もしくはキーロックの状態であっても、図４のような置き忘れメッセージ表示中に何らかのキー（例えば発呼キー）が押下された場合、置き忘れメッセージに表示された連絡先電話番号に発呼することができるようにしておく。これにより携帯電話機を紛失した場合等、拾得者が経済的負担をすることなく、携帯電話の持ち主に簡易な手法で連絡することができる。なお、置き忘れメッセージ中に電話番号を表示させなくてもよく、この場合は携帯電話の持ち主の個人情報の漏洩を防止することができる。
【００２３】
以上のようにして、紛失した携帯電話機を発呼禁止の状態にしておくと、予め登録しておいた連絡先電話番号以外には発呼できなくなり、それ以外は受信だけが可能な状態となる。このようにして、図１の処理によれば、とくに暗証番号を用いなくても近くの電話機からの発呼により紛失した携帯電話機を発呼禁止状態、即ち置忘れモードとすることができ、そのための通話料金も不要である。また、発呼禁止とするための操作中に他機からの着信が想定されるようなときでも、着信方式の設定により置き忘れモードへの移行が容易になる。さらに携帯電話機に登録されたプライベート情報も保護することができる。なお、置忘れモードの解除は、機能キーを解除モードに割り当てておき、その解除モードで暗証番号入力によって行えるようにする。置忘れモードの解除は、紛失時の乱用防止のための発呼禁止への移行と比べれば緊急性はなく、暗証番号を忘れてもメモ等を参照するまで使用を待つだけのことで、解除のための暗証番号の利用は、他人に勝手に置忘れモードを解除されないために必要である。
【符号の説明】
【００２４】
２ 制御部
４ 記憶部
５ 表示部
２１ モード切替処理機能
２２ 置忘れモード設定機能
２３ 着信カウンタ
４１ 表示メッセージ登録部
４２ 設定データエリア
【図１】
2010110000.tif 000003
【図２】
2010110000.tif 000004
【図３】
2010110000.tif 000005
【図４】
2010110000.tif 000006